(57)【特許請求の範囲】
【請求項１】
シリアルポートと、
ＲＳ２３２Ｃインタフェース端末装置を駆動するＲＳ駆動手段と、
ＶＧＡインタフェース端末装置を駆動するＶＧＡ駆動手段と、
前記ＲＳ駆動手段および前記ＶＧＡ駆動手段から、前記シリアルポートに接続された端末装置を駆動する手段を選択する選択手段と、を備え、
前記シリアルポートはＲＳ２３２Ｃインタフェース端末接続用のコネクタであり、
前記選択手段は、前記シリアルポートのＤＳＲ信号線から所定値が出力されている場合に、前記ＶＧＡ駆動手段の信号線を、前記シリアルポートの前記ＤＳＲ信号線以外の信号線に接続する電子装置。
【請求項２】
前記コネクタは、RJ45コネクタおよび９ピンのD-subコネクタの何れか一方である、請求項１の電子装置。
【請求項３】
請求項１及び請求項２の何れか１項の電子装置と、
前記ＶＧＡインタフェース端末装置と、
前記電子装置と前記ＶＧＡインタフェース端末装置との間に接続され、前記シリアルポートのＤＳＲ信号線に前記所定値を出力し、前記ＶＧＡインタフェース端末装置の信号線を前記シリアルポートの前記ＤＳＲ信号線以外の信号線と接続する変換手段と、を包含する電子システム。
【請求項４】
前記変換手段は、ａ）前記ＶＧＡインタフェース端末装置の１５ピンのD-subコネクタと前記シリアルポート間を接続し、D-subコネクタのＧＮＤピンを前記シリアルポートのＤＳＲ信号線に接続するケーブル、及び、ｂ）前記ＶＧＡインタフェース端末装置の１５ピンのD-subコネクタに接続されたＶＧＡインタフェース用のケーブルと、前記シリアルポートに接続されたシリアルケーブル間に接続され、ＤＳＲ信号線を自らのＧＮＤに接続する変換基板の何れか一方である請求項３の電子システム。
【請求項５】
シリアルポートと、
ＲＳ２３２Ｃインタフェース端末装置を駆動するＲＳ駆動手段と、
ＶＧＡインタフェース端末装置を駆動するＶＧＡ駆動手段と、
前記ＲＳ駆動手段および前記ＶＧＡ駆動手段から、前記シリアルポートに接続された端末装置を駆動する手段を選択する選択手段と、を備え、
スイッチをさらに備え、
前記シリアルポートはＲＳ２３２Ｃインタフェース端末接続用のコネクタであり、
前記選択手段は、前記スイッチが所定の状態の場合、前記ＶＧＡ駆動手段の信号線を、前記シリアルポートの信号線に接続する電子装置。
【請求項６】
シリアルポートと、
ＲＳ２３２Ｃインタフェース端末装置を駆動するＲＳ駆動手段と、
ＶＧＡインタフェース端末装置を駆動するＶＧＡ駆動手段と、を備える装置において、
前記ＲＳ駆動手段および前記ＶＧＡ駆動手段から、前記シリアルポートに接続された端末を駆動する手段を選択する方法であって、
前記シリアルポートはＲＳ２３２Ｃインタフェース端末接続用のコネクタであり、
前記シリアルポートのＤＳＲ信号線から所定値が出力されている場合に、前記ＶＧＡ駆動手段の信号線を、前記シリアルポートの前記ＤＳＲ信号線以外の信号線に接続する方法。
【請求項７】
前記コネクタは、RJ45コネクタおよび９ピンのD-subコネクタの何れか一方である、請求項６の方法。
【請求項８】
シリアルポートと、
ＲＳ２３２Ｃインタフェース端末装置を駆動するＲＳ駆動手段と、
ＶＧＡインタフェース端末装置を駆動するＶＧＡ駆動手段と、を備える装置において、
前記ＲＳ駆動手段および前記ＶＧＡ駆動手段から、前記シリアルポートに接続された端末を駆動する手段を選択する方法であって、
前記装置は、スイッチをさらに備え、
前記シリアルポートはＲＳ２３２Ｃインタフェース端末接続用のコネクタであり、
前記スイッチが所定の状態の場合、前記ＶＧＡ駆動手段の信号線を、前記シリアルポートの信号線に接続する方法。
【発明の詳細な説明】
【技術分野】
【０００１】
本発明は、電子装置、電子システム、および、方法に関する。特に、１つのシリアルポートで、ＲＳ２３２ＣインタフェースのシリアルコンソールとＶＧＡ(Video Graphic Array)インタフェースの端末装置を排他的に使用することができる電子装置、電子システム、および、方法に関する。
【背景技術】
【０００２】
特許文献１は、Ｄ−ｓｕｂ（D-subminiature）２５ピンの共通化コネクタを使用して、シリアルインタフェースまたはパラレルインタフェースを自動的に選択して使うことが出来るインタフェース装置を開示する。
【０００３】
特許文献２は、非ブルートゥースコンソールを用いて、非ブルートゥースコンピュータ及びブルートゥースマスタ機器を制御出来るスイッチ装置を開示する。
【０００４】
特許文献３は、ピン配列仕様の異なる機器間相互を接続する通信ケーブルを開示する。当該通信ケーブルは、接続変更可能なコンバータ部を備える。
【先行技術文献】
【特許文献】
【０００５】
【特許文献１】特開平９−２８２０５８号公報
【特許文献２】特開２０１２−２３４５１７号公報
【特許文献３】実開昭６３−１４３８７７号公報
【発明の概要】
【発明が解決しようとする課題】
【０００６】
コンピュータ等の電子装置は、そのコンソール装置として、ＲＳ２３２Ｃ規格準拠のシリアルコンソール（以降、シリアルコンソール）とＶＧＡ規格準拠の端末装置（以降、ＶＧＡ端末装置）のいずれか一方を使用することがある。どちらを使用するかは、当該電子装置の利用状況に応じて利用者が決定する。
【０００７】
そのため、電子装置は、予め、シリアルコンソール接続用のポートとＶＧＡ端末装置接続用のポートの２つのポートを備えておく必要があり、このことが、例えば、ラック搭載型電子装置の高密度実装の妨げとなる。
【０００８】
本願発明は、上述の課題をするための電子装置、電子システム、および、方法を提供することを目的とする。
【０００９】
特許文献１の装置は、シリアルインタフェースまたはパラレルインタフェースを切り替えて使用するものである。この装置は、シリアルコンソールとＶＧＡ端末装置の接続ポート共通化という本発明の課題を解決できない。
【００１０】
特許文献２の装置は、ブルートゥスデバイスと非ブルートゥスデバイスを共通のコンソール装置で制御するものである。この装置も、シリアルコンソールとＶＧＡ端末装置の接続ポート共通化という課題は解決できない。
【課題を解決するための手段】
【００１１】
本発明の一実施形態の電子装置は、シリアルポートと、ＲＳ２３２Ｃインタフェース端末装置を駆動するＲＳ駆動手段と、ＶＧＡインタフェース端末装置を駆動するＶＧＡ駆動手段と、前記ＲＳ駆動手段および前記ＶＧＡ駆動手段から、前記シリアルポートに接続された端末装置を駆動する手段を選択する選択手段と、を備える。
【００１２】
本発明の一実施形態の方法は、シリアルポートと、ＲＳ２３２Ｃインタフェース端末装置を駆動するＲＳ駆動手段と、ＶＧＡインタフェース端末装置を駆動するＶＧＡ駆動手段と、を備える装置において、前記ＲＳ駆動手段および前記ＶＧＡ駆動手段から、前記シリアルポートに接続された端末を駆動する手段を選択する。
【発明の効果】
【００１３】
本発明にかかる電子装置は、１つのシリアルポートで、シリアルコンソールとＶＧＡ端末装置を排他的に選択して使用することができる。したがって、本発明の電子装置は、コンソール装置用に実装するポートが１つで良く、その結果、例えば、ラック搭載型電子装置の高密度実装が可能となる。
【図面の簡単な説明】
【００１４】
【図１】図１は、電子装置１０に、本発明を適用した場合の電子システム９０の構成図である。
【図２】図２は、第１の実施の形態の電子装置１０、例えばコンピュータ１０のブロック構成図である
【図３】図３は、第１の実施の形態の電子システム６０の回路構成図である。
【図４】図４は、制御部３３の動作フローチャートを示す。
【図５】図５は、第２の実施の形態の電子装置１０、例えば、コンピュータ１０の回路構成を示す。
【図６】図６は、第３の実施の形態の電子装置１０の構成図である。
【発明を実施するための形態】
【００１５】
＜第１の実施の形態＞
図１は、電子装置１０（例えばコンピュータ１０）に、本発明を適用した場合の電子システム９０の構成図である。図１の（ａ）の電子システム９０において、コンピュータ１０は、シリアルケーブル１４でシリアルコンソール１２に接続されている。この場合、コンピュータ１０はシリアルコンソールモードで動作し、コンピュータ１０が備えるＲＳ駆動部２３が、シリアルポート１１経由でＲＳ２３２Ｃ信号を入出力する。
【００１６】
なお、上述の電子装置１０とコンピュータ１０のように、同じ要素の上位概念の名称とその具体例の名称は、同じ符号で参照される。
【００１７】
ここで、ＲＳ駆動部２３は、シリアルコンソール１２を対象にＲＳ２３２Ｃの規格に基づくデータの入出力を行う機能を有する部位である。ＲＳ駆動部２３は、例えば、ＲＳ２３２ＣドライバＩＣ２３（Integrated Circuit）である。
【００１８】
ここで、シリアルケーブル１４は、ＲＳ２３２Ｃ規格に準拠したコンソールの接続に通常用いられている、例えば、ＲＪ４５コネクタ、９ピンのＤ−ｓｕｂコネクタを有するケーブルである。
【００１９】
一方、図１の（ｂ）の電子システム９０において、コンピュータ１０は、順次、シリアルケーブル１４、変換基板１６、ＶＧＡケーブル１５によってＶＧＡ端末装置１３に接続されている。この場合、コンピュータ１０はＶＧＡモードで動作し、コンピュータ１０が備えるＶＧＡ駆動部２１が、シリアルポート１１経由でＶＧＡ信号を入出力する。
【００２０】
ここで、ＶＧＡ駆動部２１は、ＶＧＡ端末装置１３を対象にＶＧＡの規格に基づくデータの入出力を行う機能を有する部位である。ＶＧＡ駆動部２１は、例えば、ビデオチップ２１である。
【００２１】
ここで、ＶＧＡケーブル１５は、ＶＧＡ規格に準拠したコンソールの接続に通常用いられている、例えば、１５ピンのＤ-ｓｕｂコネクタを有するケーブルである。
【００２２】
このように、本発明を適用した場合、コンピュータ１０は、そのシリアルポート１１を経由して、シリアルコンソール１２も、ＶＧＡ端末装置１３も接続することが出来る。
【００２３】
コンピュータ１０等の電子装置１０は、小型化と高密度実装が求められており、その結果、未使用の入出力ポートの数を減らすことが求められている。このため、例えば、設計者は、電子装置１０の使用状況に合わせて、シリアルコンソール１２用の入出力ポート及びＶＧＡ端末装置１３用の入出力ポートの一方を削除する、という対応を余儀なくされていた。あるいは、当該設計者等は、両入出力ポートを備える代わりに他の入出力ポートを削除する、という対応を行っていた。
【００２４】
本発明は、電子装置１０の同一シリアルポート１１を経由して、シリアルコンソール１２も、ＶＧＡ端末装置１３も接続することを可能とするため、上記課題を解決する。
【００２５】
図２は、本実施の形態の電子装置１０、例えばコンピュータ１０のブロック構成図である。コンピュータ１０は、ＲＳ２３２ＣドライバＩＣ２３、ビデオチップ２１、選択部２４、シリアルポート１１を備える。図示はされていないが、コンピュータ１０は、他に、プロセッサ、メモリ、ディスク装置などを備える。ＲＳ２３２ＣドライバＩＣ２３やビデオチップ２１は、プロセッサから指示を受けて、シリアルコンソール１２や、ＶＧＡ端末装置１３に入出力を行う。
【００２６】
シリアルポート１１には、図１の（ａ）が示すようにシリアルコンソール１２が接続される。または、シリアルポート１１には、図１の（ｂ）が示すようにＶＧＡ端末装置１３が接続される。
【００２７】
選択部２４は、シリアルポート１１経由で外部からＥｎａｂｌｅ信号が入力されているか否かに応じて、ＲＳ２３２ＣドライバＩＣ２３、および、ビデオチップ２１の一方を選択して、シリアルポート１１に接続させる。選択部２４は、ビデオチップ２１をシリアルポート１１に接続させたり分離させたりするアイソレイトチップ２２を備える。
【００２８】
電子システム９０が図１の（ａ）に示す状態で、シリアルポート１１経由でＲＳ２３２ＣのＤＳＲ（Data Set Ready）信号がアサートされると、選択部２４はＲＳ２３２ＣドライバＩＣ２３にＥｎａｂｌｅ信号を出力し、動作状態にする。同時に、選択部２４は、アイソレイトチップ２２にＤｉｓａｂｌｅ信号を出力して、ビデオチップ２１をシリアルポート１１から分離させる。これにより、ＲＳ２３２ＣドライバＩＣ２３がシリアルコンソール１２を駆動可能となる。
【００２９】
一方、電子システム９０が図１の（ｂ）に示す状態のとき、後述するようにシリアルポート１１経由でＲＳ２３２ＣのＤＳＲ信号がデサートされる。正確に言えば、これは、ＲＳ２３２ＣのＤＳＲ信号が出力される信号線の出力が所定電圧の時、という意味である。簡単のため、以降もこのような言い回しが用いられる。
【００３０】
この場合、選択部２４は、ＲＳ２３２ＣドライバＩＣ２３にＤｉｓａｂｌｅ信号を出力し、その出力を停止させる。同時に、選択部２４は、アイソレイトチップ２２にＥｎａｂｌｅ信号を出力して、ビデオチップ２１をシリアルポート１１に接続させる。これにより、ビデオチップ２１がＶＧＡ端末装置１３を駆動可能となる。
【００３１】
図３は、本実施の形態の電子システム９０の回路構成図である。図３の（ａ）は、電子装置１０、例えば、コンピュータ１０の回路構成を示す。図２に示したものと同様に、コンピュータ１０は、ＲＳ２３２ＣドライバＩＣ２３、ビデオチップ２１、選択部２４、シリアルポート１１を含む。ただし、本図において、選択部２４は、アイソレイトチップ２２、ＦＥＴ３２（Field Effect Transistor）、及び制御部３３を包含する。制御部３３は、例えば、ＣＰＬＤ３３（Complex Programmable Logic Device）で実現されている。
【００３２】
本図において、ＲＳ２３２ＣドライバＩＣ２３、ビデオチップ２１、シリアルポート１１、および、アイソレイトチップ２２は、図２で説明したものと同じものである。
【００３３】
図３の（ｂ）は、変換基板１６の構成を示す。変換基板１６は、信号線のインタフェースを、シリアルインタフェースのＲＪ４５または９ピンのＤ−ｓｕｂから、１５ピンのＤ−ｓｕｂに変換する。
【００３４】
変換基板１６は、ＶＧＡ端末装置１３と接続するための１５ピンのＤ-ｓｕｂのアナログＶＧＡコネクタ３４を備えている。さらに、変換基板１６は、コンピュータ１０のＲＪ４５のシリアルポート１１と接続するためのＲＪ４５接続インタフェース３５も備えている。
【００３５】
ＲＪ４５接続インタフェース３５は、アナログＶＧＡコネクタ３４のＨＳ(Horizontal synchronization)、ＶＳ(Vertical synchronization)、Ｒ(Red video)、Ｇ(Green video)、Ｂ（Blue video）信号線の他に、ＲＳ２３２ＣのＤＳＲ信号線も備えている。ＤＳＲ信号線は、グランドにプルダウン接続されている。
【００３６】
コンピュータ１０は、シリアルポート１１として、ＲＪ４５コネクタ１１を備えている。ＲＪ４５コネクタ１１からの信号線は、ＲＳ２３２ＣドライバＩＣ２３およびアイソレイトチップ２２に接続している。
【００３７】
ＲＳ２３２ＣドライバＩＣ２３は、ＣＰＬＤ３３と接続している。また、アイソレイトチップ２２は、ビデオチップ２１とも接続している。
【００３８】
ＲＳ２３２Ｃのシリアル信号とＶＧＡ信号の接続の組み合わせは、例えば、ＣＴＳ（Clear to send）とＨＳ、Ｒｘ(Receive Data)とＶＳ、ＤＴＲ(Data Terminal Ready)とＲ、ＲＴＳ(Request To Send)とＧ、Ｔｘ(Transmit Data)とＢである。ただし、組み合わせはこれに限られない。
【００３９】
シリアルコンソール１２とＶＧＡ端末装置１３との排他的選択回路として、ＲＳ２３２ＣのＤＳＲ信号線が、ＦＥＴ３２経由でＣＰＬＤ３３に接続されている。ＣＰＬＤ３３からは、ＲＳ２３２ＣドライバＩＣ２３およびアイソレイトチップ２２の各々まで、Ｅｎａｂｌｅ/Ｄｉｓａｂｌｅ信号線が伸びている。ＣＰＬＤ３３は、シリアルポート１１から受信したＤＲＳ信号に基づいて、当該Ｅｎａｂｌｅ/Ｄｉｓａｂｌｅ信号線を用いて、ＲＳ２３２ＣドライバＩＣ２３およびアイソレイトチップ２２の起動／停止を制御する。
【００４０】
次に、図３の回路の動作を説明する。
【００４１】
図１の（ａ）の電子システム９０において、ＲＪ４５コネクタ１１は、シリアルケーブル１４を経由して、シリアルコンソール１２に接続されている。ここで、ＲＪ４５コネクタ１１に入力されるＲＳ２３２ＣのＤＳＲ信号がレディ状態を示すと、ＲＳ２３２ＣドライバＩＣ２３にレディが伝達される。それと同時に、ＦＥＴ３２のゲートがオンなり、ＣＰＬＤ３３にＲＳ２３２Ｃ Ｅｎａｂｌｅ信号が、アサートされる（Ｌｏｗ電圧が加えられる）。
【００４２】
図４は、制御部３３（ＣＰＬＤ３３）の動作フローチャートを示す。接続されたＲＳ２３２Ｃ Ｅｎａｂｌｅ信号が、アサートされたことを検出すると（Ｓ１でアサート）、ＣＰＬＤ３３は、アイソレイトチップ２２にＤｉｓａｂｌｅ信号を出力する（Ｓ２）。これにより、アイソレイトチップ２２は、ビデオチップ２１の信号をＲＪ４５コネクタ１１から分離する。
【００４３】
次いで、ＣＰＬＤ３３は、ＲＳ２３２ＣドライバＩＣ２３にＥｎａｂｌｅ信号を出力し（Ｓ３）、内部で分離していたプロセッサなどから創出されたシリアル信号を、ＲＳ２３２ＣドライバＩＣ２３に出力し始める（Ｓ４）。これにより、コンピュータ１０は、ＲＪ４５コネクタ１１を経由して、シリアルコンソール１２を駆動する。
【００４４】
一方、図１の（ａ）の電子システム９０において、ＲＪ４５コネクタ１１に変換基板１６が接続されると、変換基板１６内で、ＤＳＲ信号がグランドにプルダウン接続されて、常にＬｏｗ電圧となる。そのため、ＣＰＬＤ３３にＲＳ２３２Ｃ Ｅｎａｂｌｅ信号が、デサートされる（Ｈｉｇｈ電圧が加えられる）。
【００４５】
図４のフローチャートにおいて、接続されたＲＳ２３２Ｃ Ｅｎａｂｌｅ信号が、デサートされたことを検出すると（Ｓ１でデサート）、ＣＰＬＤ３３は、シリアル信号をＲＳ２３２ＣドライバＩＣ２３から分離する（Ｓ５）。すなわち、ＣＰＬＤ３３は、シリアル信号のＲＳ２３２ＣドライバＩＣ２３への出力を停止する。
【００４６】
次いで、ＣＰＬＤ３３は、ＲＳ２３２ＣドライバＩＣ２３にＤｉｓａｂｌｅ信号を出力する（Ｓ６）。これで、ＲＳ２３２ＣドライバＩＣ２３は、シリアル通信を停止する。
【００４７】
最後に、ＣＰＬＤ３３は、アイソレイトチップ２２にＥｎａｂｌｅ信号を出力する（Ｓ７）。これにより、アイソレイトチップ２２は、ビデオチップ２１の信号線をＲＪ４５コネクタ１１に接続し、コンピュータ１０は、ＲＪ４５コネクタ１１を経由して、ＶＧＡ端末装置１３を駆動する。
【００４８】
本実施の形態にかかる電子装置１０は、１つのシリアルポート１１で、シリアルコンソール１２とＶＧＡ端末装置１３を排他的に選択して使用することができる。したがって、電子装置１０は、コンソール装置用に実装するポートが１つで良く、その結果、例えば、ラック搭載型電子装置の高密度実装が可能となる。
【００４９】
さらに、本実施の形態にかかる電子装置１０は、シリアルコンソール１２とＶＧＡ端末装置１３を自動的に切り分けて使用することができる。したがって、電子装置１０の利用者が、コンソール装置の種類を手動で指定する必要はない。
【００５０】
その理由は、選択部２４が、ＤＳＲ信号の入力に基づいてコンソール装置の種類を切り分けて、コンソール装置の駆動手段をＲＳ２３２ＣドライバＩＣ２３及びビデオチップ２１の中から選択するからである。
【００５１】
＜第１の実施の形態の変形＞
シリアルポート１１は、ＲＪ４５コネクタでなく、９ピンのＤ-ｓｕｂコネクタであっても良い。
【００５２】
また、制御部３３は、ＣＰＬＤ３３で実現されていなくても良い。制御部３３は、ＦＰＧＡ（Field Programmable gate array）や論理回路ＩＣを使って実現されても良い。選択部２４は、ＤＳＲ信号をＲＳ２３２ＣドライバＩＣ２３やアイソレイトチップ２２に直接入力するように実装されても良い。
【００５３】
電子装置１０は、コンピュータ１０以外の他の電子機器、例えば、ストレージ装置、通信装置、あるいは、工作機器、船舶、交通信号機の制御装置であっても良い。
【００５４】
変換基板１６は無くても良い。電子装置１０とＶＧＡ端末装置１３を接続するケーブルが、ＲＪ４５や９ピンのＤ-ｓｕｂコネクタから１５ピンのＤ-ｓｕｂのＶＧＡコネクタへの変換を行っても良い。この場合、ＤＳＲ信号線は、例えば、グランドピンに接続される。
【００５５】
＜第２の実施形態＞
図５は、本実施の形態の電子装置１０、例えば、コンピュータ１０の回路構成を示す。本実施の形態の電子装置１０は、制御部３３に接続されたスイッチ５８を包含する。当該スイッチ５８は、一方にＨｉｇｈ、他方にＬｏｗ電圧が入力され、一方を選択して制御部３３に出力可能である。
【００５６】
本実施の形態の電子装置１０は、第１の実施形態の電子装置１０が備えていた、シリアルポート１１のＤＳＲ信号線から制御部３３に至るＦＥＴ３２を含む回路（図３）は不要になる。
【００５７】
第1の実施形態では、ＶＧＡ端末接続時（図１の（ｂ））は、ＲＳ２３２ＣのＤＳＲ信号線をグランドにプルダウン接続して、制御部３３の自動検出により端末制御の切り替えを行った。
【００５８】
一方、本実施の形態の電子装置１０は、この切り替えの為にＤＳＲ信号の代わりにスイッチ５８を使う。すなわち、ユーザがこのスイッチ５８を切り替えて、ＲＳ２３２ＣのＥｎａｂｌｅ信号およびＤｉｓａｂｌｅ信号の一方を選択して、制御部３３に出力する。スイッチ５８は、ＲＳ２３２ＣのＥｎａｂｌｅ信号およびＤｉｓａｂｌｅ信号の一方を選択して、制御部３３に出力できるのであれば、その種類、構造は問わない。
【００５９】
また、電子装置１０は、スイッチ５８の代わりにチップセット５７のＧＰＩＯ（General Purpose Input / Output）を使っても良い。
【００６０】
本実施の形態にかかる電子装置１０は、１つのシリアルポート１１で、シリアルコンソール１２とＶＧＡ端末装置１３を排他的に選択して使用することができる。
【００６１】
その理由は、選択部２４が備える、例えば、制御部３３が、スイッチ５８の入力に基づいてコンソール装置の種類を切り分けて、コンソール装置の駆動手段をＲＳ２３２ＣドライバＩＣ２３及びビデオチップ２１の中から選択するからである。
【００６２】
＜第３の実施の形態＞
図６は、本実施の形態の電子装置１０の構成図である。電子装置１０は、シリアルポート１１と、ＲＳ駆動部２３と、ＶＧＡ駆動部２１と、選択部２４を備える。
【００６３】
ＲＳ駆動部２３は、ＲＳ２３２Ｃインタフェース端末装置を駆動する。ＶＧＡ駆動部２１は、ＶＧＡインタフェース端末装置を駆動する。選択部２４は、ＲＳ駆動部２３およびＶＧＡ駆動部２１から、シリアルポート１１に接続された端末装置を駆動する部位を選択する。
【００６４】
本実施の形態にかかる電子装置１０は、１つのシリアルポート１１で、シリアルコンソール１２とＶＧＡ端末装置１３を排他的に選択して使用することができる。
【００６５】
その理由は、選択部２４が、コンソール装置の駆動手段をＲＳ駆動部２３及びＶＧＡ駆動部２１の中から選択するからである。
【００６６】
以上、実施形態を参照して本願発明を説明したが、本願発明は上記実施形態に限定されものではない。本願発明の構成や詳細には、本願発明のスコープ内で当業者が理解し得る様々な変更をすることができる。
【符号の説明】
【００６７】
１０    電子装置
１０    コンピュータ
１１    シリアルポート
１１    ＲＪ４５コネクタ
１２    シリアルコンソール
１３    ＶＧＡ端末装置
１４    シリアルケーブル
１５    ＶＧＡケーブル
１６    変換基板
２１    ＶＧＡ駆動部
２１    ビデオチップ
２２    アイソレイトチップ
２３    ＲＳ駆動部
２３  ＲＳ２３２ＣドライバＩＣ
２４    選択部
３２    ＦＥＴ
３３    制御部
３３    ＣＰＬＤ
３４    アナログＶＧＡコネクタ
３５    ＲＪ４５接続インタフェース
５７    チップセット
５８    スイッチ
９０    電子システム
【図１】
0006371153.tif 000002
【図２】
0006371153.tif 000003
【図３】
0006371153.tif 000004
【図４】
0006371153.tif 000005
【図５】
0006371153.tif 000006
【図６】
0006371153.tif 000007